(57)【要約】【課題】光源の設置数を低減した場合でも、発光品位の低下を防ぎつつ、狭額縁化を図ることができるバックライト装置、及びこれを用いた表示装置、並びにテレビ受信装置を提供する。【解決手段】複数の発光ダイオード（光源）と、液晶パネル（被照射物）側に光を照射するように、積層された第１及び第２の導光板を備えたバックライト装置において、第１及び第２の各導光板では、その発光面から発光される光の輝度分布が互いに異なる輝度分布となるように、構成されるとともに、第１及び第２の導光板では、液晶パネル側に照射される光の輝度分布が所定の輝度分布となるように、構成されている。【選択図】図７
2013165009.tif 000002
【特許請求の範囲】
【請求項１】
複数の光源と、
被照射物側に向かって光が順次透過するように、積層された複数の導光板を備え、
前記複数の各導光板には、前記複数の光源のいずれかの光源に対向して、当該光源からの光が入光される入光面と、前記入光面から入光した光を前記被照射物側に発光する発光面が設けられ、
前記複数の各導光板では、その発光面から発光される光の輝度分布が互いに異なる輝度分布となるように、構成されるとともに、
前記複数の導光板では、前記被照射物側に照射される光の輝度分布が所定の輝度分布となるように、構成されている、
ことを特徴とするバックライト装置。
【請求項２】
前記複数の各導光板では、その入光面に対して、直線上に並べられた複数の光源が対向して配置され、
前記複数の各導光板には、その発光面に対向する対向面側に設けられるとともに、その入光面に対向するように並べられた対応する複数の光源からの光を当該発光面側に反射する反射部が設けられ、
前記複数の各導光板では、その入光面に対向するように並べられた対応する複数の光源からの光を混合し、かつ、その発光面から光を発光させないミキシング領域が形成されるように、その反射部がその対向面側に設けられている請求項１に記載のバックライト装置。
【請求項３】
前記反射部として、印刷によって形成された反射パターンが用いられている請求項２に記載のバックライト装置。
【請求項４】
前記反射部として、シボ加工によって形成された反射パターンが用いられている請求項２に記載のバックライト装置。
【請求項５】
前記複数の導光板では、隣接する２つの導光板において、一方の導光板の発光面と、他方の導光板の反射部とが密接するように、これら２つの導光板は積層されている請求項２〜４のいずれか１項に記載のバックライト装置。
【請求項６】
前記複数の導光板をそれぞれ支持する複数の支持部を備えるとともに、
前記複数の各支持部には、支持する導光板を係止して、当該導光板の位置決めを行う位置決め部材が設けられている請求項１〜５のいずれか１項に記載のバックライト装置。
【請求項７】
前記複数の導光板では、隣接する２つの導光板は空気層を介在させて積層されている請求項１〜６のいずれか１項に記載のバックライト装置。
【請求項８】
前記所定の輝度分布では、その中心輝度に対し、その周辺の輝度が所定の範囲内の数値となるように設定されている請求項１〜７のいずれか１項に記載のバックライト装置。
【請求項９】
前記複数の各光源として、発光ダイオードが用いられている請求項１〜８のいずれか１項に記載のバックライト装置。
【請求項１０】
請求項１〜９のいずれか１項に記載のバックライト装置を用いたことを特徴とする表示装置。
【請求項１１】
複数の画素を有する表示部を備え、
前記表示部には、液晶パネルが含まれている請求項１０に記載の表示装置。
【請求項１２】
請求項１０または１１に記載の表示装置を備えることを特徴とするテレビ受信装置。
【発明の詳細な説明】
【技術分野】
【０００１】
本発明は、バックライト装置、特に導光板を使用したバックライト装置、及びこれを用いた表示装置、並びにテレビ受信装置に関する。
【背景技術】
【０００２】
近年、例えば家庭用のテレビ受信装置では、液晶表示装置に代表されるように、在来のブラウン管に比べ薄型、軽量等の多くの特長を有するフラットな表示部としての液晶パネルを備えた表示装置が主流になりつつある。このような液晶表示装置には、光を発光するバックライト装置（バックライト）と、バックライト装置に設けられた光源からの光に対してシャッターの役割を果たすことで、所望画像を表示する液晶パネルとが設けられている。そして、テレビ受信装置では、テレビ放送の映像信号に含まれた文字、画像等の情報を液晶パネルの表示面上に表示するようになっている。
【０００３】
また、上記バックライト装置では、光の被照射物としての液晶パネルに対する光源の配置の仕方により直下型とエッジライト型に大別されるが、液晶表示装置では、昨今、直下型に比べ薄型化を図り易いエッジライト型が一般的に使用されている。すなわち、エッジライト型のバックライト装置では、光源を液晶パネルの側方に配置することにて薄型化が図られており、液晶パネルの非表示面に対向配置される発光面を備えた導光板を用いて光源からの光を当該液晶パネルに与えるようになっている。
【０００４】
また、上記のようなバックライト装置には、例えば下記特許文献１に記載されているように、光源としての発光ダイオードを複数、直線上に配置したＬＥＤ基板を２組設けるとともに、導光板の対向する２つの側面に対して、２組のＬＥＤ基板をそれぞれ対向して配置することが提案されている。そして、この従来のバックライト装置では、液晶パネル（被照射物）への照明光の高輝度化を図ることが可能とされていた。
【先行技術文献】
【特許文献】
【０００５】
【特許文献１】特開２０１０−１７７１９０号公報
【発明の概要】
【発明が解決しようとする課題】
【０００６】
しかしながら、上記のような従来のバックライト装置では、発光ダイオード（光源）の設置数を低減した場合に、発光品位が低下したり、狭額縁化を図るのが困難なものとなったりするという問題点を生じた。
【０００７】
ここで、図１２〜図１４を用いて、従来のバックライト装置での問題点について具体的に説明する。
【０００８】
図１２は、従来のバックライト装置の要部構成を説明する図である。図１３は、上記従来のバックライト装置での具体的な輝度分布を説明するグラフである。図１４は、発光ダイオードの設置数を増減した場合でのミキシング領域の変化を説明する図であり、図１４（ａ）及び図１４（ｂ）は、それぞれ発光ダイオードの設置数が多い場合及び発光ダイオードの設置数が少ない場合でのミキシング領域を説明する図である。
【０００９】
図１２に示すように、従来のバックライト装置５０には、発光ダイオード５１と、発光ダイオード５１が実装されたＬＥＤ基板５２と、発光ダイオード５１からの光が入光されるとともに、図１２の上側に設けられた液晶パネル（図示せず）に対して、照明光を照射する導光板５３と、導光板５３の液晶パネルとは反対側（図１２の下側）に設置された反射シート５４とが設けられている。
【００１０】
また、図１２に示すように、従来のバックライト装置５０では、２組のＬＥＤ基板５２が用いられており、各ＬＥＤ基板５２には、図１２の紙面に垂直な方向で、複数の発光ダイオード５１が直線上に配置されている。また、導光板５３は、発光ダイオード５１からの光が入光される入光面５３ａと、液晶パネル側に照明光を発光する発光面５３ｂと、発光面５３ｂに対向する対向面５３ｃとを備えている。
【００１１】
さらに、導光板５３には、入光面５３ａから入光された発光ダイオード５１からの光を発光面５３ｂ側に反射する反射部５３ｄが対向面５３ｃ側に設けられている。この反射部５３ｄとして、スクリーン印刷またはシボ加工などによって形成された反射パターンが用いられている。
【００１２】
そして、導光板５３では、反射部５３ｄが形成された領域に対向する発光面５３ｂの領域が、上記液晶パネルに照射される照明光を実質的に発光する有効発光領域（アクティブ領域）ＡＡとして設定されている。また、導光板５３では、アクティブ領域ＡＡを挟むように、当該アクティブ領域ＡＡの発光ダイオード５１側にミキシング領域ＭＡが設定されている。このミキシング領域ＭＡは、近傍の入光面５３ａに対向するように並べられた対応する複数の発光ダイオード５１からの光を混合し、かつ、発光面５３ｂから光を発光させない領域である。
【００１３】
つまり、導光板５３では、２つのミキシング領域ＭＡが図１２の左右のＬＥＤ基板５２側にそれぞれ設けられており、各ミキシング領域ＭＡにおいて、複数の発光ダイオード５１の光が混合されることにより、導光板５３では、発光面５３ｂに輝度ムラが生じるのを防げるように構成されている。また、これにより、導光板５３では、図１３に曲線６０にて示すように、左右の各ミキシング領域ＭＡに対応する発光面５３ｂでの輝度は実質的に零の値であり、アクティブ領域ＡＡに対応する発光面５３ｂでの輝度（すなわち、この発光面５３の部分から液晶パネル側に照射される照明光の輝度）が所定の値となるようになっている。
【００１４】
ここで、従来のバックライト装置５０において、発光ダイオード５１の発光効率のアップなどにより、発光ダイオード５１の設置数を低減した場合に、導光板５３の発光面５３ｂから発光される照明光に輝度ムラが生じ易くなり、発光品位が低下したり、狭額縁化を図るのが困難なものとなったりするという問題点を生じた。
【００１５】
具体的にいえば、図１４（ａ）に示すように、例えば５つの発光ダイオード５１がＬＥＤ基板５２に設置されている場合、各発光ダイオード５１からの光は、主に、矢印Ｌにて示すように、進行する。この結果、図１４（ａ）に斜線部にて示すように、隣接する２つの発光ダイオード５１の間の部分には、これらの発光ダイオード５１からの光があまり進行せず、結果として、発光面５３ｂにおいて、輝度ムラを非常に発生し易い領域が形成される。それ故、従来のバックライト装置５０では、発光品位の低下を防ぐために、図１４（ａ）に“Ｘ１”にて示すように、ミキシング領域ＭＡを設定する必要がある。
【００１６】
また、従来のバックライト装置５０において、発光ダイオード５１の設置数を、例えば３つに低減した場合、図１４（ｂ）に示すように、各発光ダイオード５１からの光は、主に、矢印Ｌにて示すように、進行する。この結果、図１４（ａ）に示した場合と同様に、図１４（ｂ）に斜線部にて示すように、隣接する２つの発光ダイオード５１の間の部分には、これらの発光ダイオード５１からの光があまり進行せず、結果として、発光面５３ｂにおいて、輝度ムラを非常に発生し易い領域が形成される。さらに、この発光ダイオード５１の設置数を３つに低減した場合では、隣接する２つの発光ダイオード５１間の（ピッチ）寸法が大きくなるので、輝度ムラを非常に発生し易い領域が図１４（ａ）に示した領域よりも大きくなり、発光品位の低下を防ぐためには、図１４（ｂ）に“Ｘ２”にて示すように、大きいミキシング領域ＭＡを設定する必要がある。この結果、発光ダイオード５１の設置数を３つに低減した場合では、バックライト装置５０の狭額縁化を図るのが困難なものとなる。
【００１７】
以上のように、従来のバックライト装置５０では、発光ダイオード５１の設置数を低減した場合に、発光品位が低下したり、狭額縁化を図るのが困難なものとなったりするという問題点を生じた。
【００１８】
上記の課題を鑑み、本発明は、光源の設置数を低減した場合でも、発光品位の低下を防ぎつつ、狭額縁化を図ることができるバックライト装置、及びこれを用いた表示装置、並びにテレビ受信装置を提供することを目的とする。
【課題を解決するための手段】
【００１９】
上記の目的を達成するために、本発明にかかるバックライト装置は、複数の光源と、
被照射物側に向かって光が順次透過するように、積層された複数の導光板を備え、
前記複数の各導光板には、前記複数の光源のいずれかの光源に対向して、当該光源からの光が入光される入光面と、前記入光面から入光した光を前記被照射物側に発光する発光面が設けられ、
前記複数の各導光板では、その発光面から発光される光の輝度分布が互いに異なる輝度分布となるように、構成されるとともに、
前記複数の導光板では、前記被照射物側に照射される光の輝度分布が所定の輝度分布となるように、構成されていることを特徴とするものである。
【００２０】
上記のように構成されたバックライト装置では、複数の導光板が被照射物側に向かって光が順次透過するように、積層されている。また、複数の各導光板では、その発光面から発光される光の輝度分布が互いに異なる輝度分布となるように、構成されている。また、複数の導光板では、被照射物側に照射される光の輝度分布が所定の輝度分布となるように、構成されている。これにより、上記従来例と異なり、光源の設置数を低減した場合でも、発光品位の低下を防ぎつつ、狭額縁化を図ることができるバックライト装置を構成することができる。
【００２１】
また、上記バックライト装置において、前記複数の各導光板では、その入光面に対して、直線上に並べられた複数の光源が対向して配置され、
前記複数の各導光板には、その発光面に対向する対向面側に設けられるとともに、その入光面に対向するように並べられた対応する複数の光源からの光を当該発光面側に反射する反射部が設けられ、
前記複数の各導光板では、その入光面に対向するように並べられた対応する複数の光源からの光を混合し、かつ、その発光面から光を発光させないミキシング領域が形成されるように、その反射部がその対向面側に設けられていることが好ましい。
【００２２】
この場合、光源の設置数を低減した場合でも、複数の各導光板において、互いに異なる輝度分布を容易に構成することができる。
【００２３】
また、上記バックライト装置において、前記反射部として、印刷によって形成された反射パターンが用いられてもよい。
【００２４】
この場合、印刷によって形成された反射パターンが上記対応する複数の光源からの光を当該発光面側に反射する。
【００２５】
また、上記バックライト装置において、前記反射部として、シボ加工によって形成された反射パターンが用いられてもよい。
【００２６】
この場合、シボ加工によって形成された反射パターンが上記対応する複数の光源からの光を当該発光面側に反射する。
【００２７】
また、上記バックライト装置において、前記複数の導光板では、隣接する２つの導光板において、一方の導光板の発光面と、他方の導光板の反射部とが密接するように、これら２つの導光板は積層されていることが好ましい。
【００２８】
この場合、バックライト装置の薄型化を容易に図ることができるとともに、バックライト装置の構造の簡略化を容易に図ることができる。
【００２９】
また、上記バックライト装置において、前記複数の導光板をそれぞれ支持する複数の支持部を備えるとともに、
前記複数の各支持部には、支持する導光板を係止して、当該導光板の位置決めを行う位置決め部材が設けられていることが好ましい。
【００３０】
この場合、導光板が変形（膨張）したときでも、当該導光板が光源と接触するのを防止することができ、導光板及び光源に損傷が生じるのを防ぐことができる。
【００３１】
また、上記バックライト装置において、前記複数の導光板では、隣接する２つの導光板は空気層を介在させて積層されていることが好ましい。
【００３２】
この場合、上記２つの各導光板の内部を導光する光が不適切に他の導光板の内部に進行するのを防ぐことができ、複数の各導光板において、互いに異なる輝度分布をより容易に構成することができる。
【００３３】
また、上記バックライト装置において、前記所定の輝度分布では、その中心輝度に対し、その周辺の輝度が所定の範囲内の数値となるように設定されていることが好ましい。
【００３４】
この場合、優れた発光性能を有するバックライト装置を容易に構成することができる。
【００３５】
また、上記バックライト装置において、前記複数の各光源として、発光ダイオードが用いられていることが好ましい。
【００３６】
この場合、消費電力が少なく、優れた環境性を有するバックライト装置を容易に構成することができる。
【００３７】
また、本発明の表示装置は、上記いずれかのバックライト装置を用いたことを特徴とするものである。
【００３８】
上記のように構成された表示装置では、光源の設置数を低減した場合でも、発光品位の低下を防ぎつつ、狭額縁化を図ることができるバックライト装置が用いられているので、コンパクトで表示品位に優れた表示装置を容易に構成することができる。
【００３９】
また、上記表示装置において、複数の画素を有する表示部を備え、
前記表示部には、液晶パネルが含まれていることが好ましい。
【００４０】
この場合、コンパクトで表示品位に優れた液晶表示装置を容易に構成することができる。
【００４１】
また、本発明のテレビ受信装置では、上記いずれかの表示装置を備えることを特徴とするものである。
【００４２】
上記のように構成されたテレビ受信装置では、コンパクトで表示品位に優れた表示装置が用いられているので、高性能な表示性能を有するコンパクトなテレビ受信装置を容易に構成することができる。
【発明の効果】
【００４３】
本発明によれば、光源の設置数を低減した場合でも、発光品位の低下を防ぎつつ、狭額縁化を図ることができるバックライト装置、及びこれを用いた表示装置、並びにテレビ受信装置を提供することが可能となる。
【図面の簡単な説明】
【００４４】
【図１】図１は、本発明の第１の実施形態にかかるテレビ受信装置及び液晶表示装置を説明する分解斜視図である。
【図２】図２は、上記液晶表示装置の要部構成を説明する図である。
【図３】図３は、図２に示した液晶パネルの構成を説明する図である。
【図４】図４は、上記液晶パネルに設けられたソースドライバ及びゲートドライバを説明する図である。
【図５】図５は、図２に示したバックライト装置の要部構成を説明する図である。
【図６】図６は、図５に示した導光板に設けられた反射部を説明する図であり、図６（ａ）は、導光板の対向面側から見た反射部の拡大平面図であり、図６（ｂ）は、反射部の拡大断面図である。
【図７】図７は、上記バックライト装置での具体的な輝度分布を説明するグラフである。
【図８】図８は、本発明の第２の実施形態にかかるバックライト装置の要部構成を説明する図である。
【図９】図９は、本発明の第３の実施形態にかかるバックライト装置の要部構成を説明する図である。
【図１０】図１０は、図９に示した導光板に設けられた反射部を説明する図であり、図１０（ａ）は、導光板の対向面側から見た反射部の拡大平面図であり、図１０（ｂ）は、反射部の拡大断面図である。
【図１１】図１１は、図９に示した支持部材に設けられた位置決め部材を説明する図であり、図１１（ａ）及び図１１（ｂ）はそれぞれ図９に示した第１の導光板側の位置決め部材を示す平面図及び側面図であり、図１１（ｃ）及び図１１（ｄ）はそれぞれ図９に示した第２の導光板側の位置決め部材を示す平面図及び側面図である。
【図１２】図１２は、従来のバックライト装置の要部構成を説明する図である。
【図１３】図１３は、上記従来のバックライト装置での具体的な輝度分布を説明するグラフである。
【図１４】図１４は、発光ダイオードの設置数を増減した場合でのミキシング領域の変化を説明する図であり、図１４（ａ）及び図１４（ｂ）は、それぞれ発光ダイオードの設置数が多い場合及び発光ダイオードの設置数が少ない場合でのミキシング領域を説明する図である。
【発明を実施するための形態】
【００４５】
以下、本発明のバックライト装置、表示装置、及びテレビ受信装置の好ましい実施形態について、図面を参照しながら説明する。なお、以下の説明では、本発明を透過型の液晶表示装置に適用した場合を例示して説明する。また、各図中の構成部材の寸法は、実際の構成部材の寸法及び各構成部材の寸法比率等を忠実に表したものではない。
【００４６】
［第１の実施形態］
図１は、本発明の第１の実施形態にかかるテレビ受信装置及び液晶表示装置を説明する分解斜視図である。図において、本実施形態のテレビ受信装置Ｔｖは、表示装置としての液晶表示装置１を備えており、アンテナやケーブル（図示せず）などによりテレビ放送を受信可能に構成されている。液晶表示装置１は、表キャビネットＣａ及び裏キャビネットＣｂに収納された状態で、スタンドＤによって立設されるようになっている。また、テレビ受信装置Ｔｖでは、液晶表示装置１の表示面１ａが表キャビネットＣａを介在させて視認可能に構成されている。この表示面１ａは、スタンドＤにより、重力の作用方向（鉛直方向）に平行となるように設置されている。
【００４７】
また、テレビ受信装置Ｔｖでは、図示を省略したＴＶチューナー部で受信されたテレビ放送の映像信号に応じた画像が表示面１ａ上に表示されるとともに、表キャビネットＣａに設けられたスピーカＣａ１から音声が再生出力される。なお、裏キャビネットＣｂには、多数の通気孔が形成されており、バックライト装置や電源等で発生した熱を適切に放熱できるようになっている。
【００４８】
続いて、図２を参照して、本実施形態の液晶表示装置１について具体的に説明する。
【００４９】
図２は、上記液晶表示装置の要部構成を説明する図である。
【００５０】
図２において、本実施形態の液晶表示装置１は、図２の上側が視認側（表示面側）として設置される表示部としての液晶パネル２と、液晶パネル２の非表示面側（図２の下側）に配置されて、当該液晶パネル２に対して、照明光を照射するバックライト部としてのバックライト装置３とが設けられている。また、液晶表示装置１では、断面Ｌ字状のフレーム４の内部で、液晶パネル２とバックライト装置３とが互いに組み付けられており、当該バックライト装置３からの照明光が液晶パネル２に入射される透過型の液晶表示装置１として一体化されている。
【００５１】
また、液晶表示装置１では、フレーム４に設けられた矩形状の開口部４ａによって上記表示面１ａが規定されている。すなわち、液晶表示装置１では、開口部４ａを通して視認される、液晶パネル２の表示面が表示面１ａを構成している。
【００５２】
また、液晶パネル２には、液晶層と、この液晶層を狭持する一対の基板としてのカラーフィルタ基板２ａ及びアクティブマトリクス基板２ｂと、これらカラーフィルタ基板２ａ及びアクティブマトリクス基板２ｂの各外側表面にそれぞれ設置された偏光板（図示せず）とが設けられている。そして、液晶パネル２では、液晶層によってバックライト装置３側の偏光板を介して入射された上記照明光の偏光状態が変調され、かつ、開口部４ａ側（表示面１ａ側）の偏光板を通過する光量が制御されることにより、所望画像が表示される。
【００５３】
また、フレーム４には、例えば亜鉛メッキ鋼板やアルミニウムなどの金属材料が用いられている。また、フレーム４には、上記開口部４ａを囲むように設けられた枠体４ｂと、枠体４ｂの四辺にそれぞれ立設された側面部４ｃが設けられている。また、フレーム４では、その枠体４ｂと液晶パネル２との間に、例えばゴムなどの合成樹脂によって構成された緩衝材Ｔが設けられており、フレーム４は、緩衝材Ｔを介して液晶パネル２を支持するようになっている。
【００５４】
さらに、フレーム４は、バックライト装置３を収容した後述の筐体９に対して、一体的に組み付けられる。そして、これらのフレーム４及び筐体９は、液晶パネル２及びバックライト装置３を含む液晶表示装置１の要部を収容する液晶表示装置１の外容器を構成している。
【００５５】
次に、図３も参照して、本実施形態の液晶パネル２について具体的に説明する。
【００５６】
図３は、図２に示した液晶パネルの構成を説明する図である。
【００５７】
図３において、液晶表示装置１（図２）には、文字や画像等の情報を表示する上記表示部としての液晶パネル２（図２）の駆動制御を行うパネル制御部１２と、このパネル制御部１２からの指示信号を基に動作するソースドライバ１５と第１及び第２のゲートドライバ１６ａ、１６ｂとが設けられている。これら第１及び第２のゲートドライバ１６ａ、１６ｂは、液晶パネル２の左端部側及び右端部側にそれぞれ設けられたものであり、後述のゲート配線の左端部及び右端部にそれぞれ接続されている。
【００５８】
パネル制御部１２は、液晶表示装置１に設けられた制御装置（図示せず）内に設けられたものであり、液晶表示装置１の外部からの映像信号が入力されるようになっている。また、パネル制御部１２は、入力された映像信号に対して所定の画像処理を行ってソースドライバ１５及び第１及び２のゲートドライバ１６ａ、１６ｂへの各指示信号を生成する画像処理部１３と、入力された映像信号に含まれた１フレーム分の表示データを記憶可能なフレームバッファ１４とを備えている。そして、パネル制御部１２が、入力された映像信号に応じて、ソースドライバ１５と第１及び第２のゲートドライバ１６ａ、１６ｂの駆動制御を行うことにより、その映像信号に応じた情報が液晶パネル２に表示される。
【００５９】
ソースドライバ１５と第１及び第２のゲートドライバ１６ａ、１６ｂは、液晶パネル２に設けられた複数の画素Ｐを画素単位に駆動する駆動回路であり、ソースドライバ１５と第１及び第２のゲートドライバ１６ａ、１６ｂには、複数のソース配線Ｓ１〜ＳＭ（Ｍは、２以上の整数、以下、“Ｓ”にて総称する。）及び複数のゲート配線Ｇ１〜ＧＮ（Ｎは、２以上の整数、以下、“Ｇ”にて総称する。）がそれぞれ接続されている。これらのソース配線Ｓ及びゲート配線Ｇは、それぞれデータ配線及び走査配線を構成しており、アクティブマトリクス基板２ｂ（図２）に含まれた透明なガラス材または透明な合成樹脂製の基材（図示せず）上で互いに交差するように、マトリクス状に配列されている。すなわち、ソース配線Ｓは、マトリクス状の列方向（液晶パネル２の縦方向）に平行となるように上記基材上に設けられ、ゲート配線Ｇは、マトリクス状の行方向（液晶パネル２の横方向）に平行となるように上記基材上に設けられている。
【００６０】
また、ソースドライバ１５と第１及び第２のゲートドライバ１６ａ、１６ｂは、各々複数設けられており、液晶パネル２の横方向及び縦方向に沿って順次配列されている。
【００６１】
ここで、図４を参照して、本実施形態の液晶パネル２での複数のソースドライバ１５及び複数の第１及び第２のゲートドライバ１６ａ、１６ｂについて具体的に説明する。
【００６２】
図４は、上記液晶パネルに設けられたソースドライバ及びゲートドライバを説明する図である。
【００６３】
また、図４に示すように、複数、例えば８つのソースドライバ１５−１〜１５−８（以下、“１５”にて総称する。）が、８つのフレキシブル回路基板（ＳＯＦ）２０にそれぞれ実装されている。各フレキシブル回路基板２０の一端部側は、有効表示領域Ａの外側で、アクティブマトリクス基板２ｂ上のソース配線Ｓに接続されている。また、各ソースドライバ１５−１〜１５−８には、同じ数のソース配線Ｓ、すなわち（Ｍ／８）本のソース配線Ｓが接続されている。
【００６４】
また、各フレキシブル回路基板２０の他端部側は、２つのプリント回路基板２１のいずれか一方のプリント回路基板２１に接続されている。そして、液晶パネル２では、各ソースドライバ１５−１〜１５−８に対して、液晶パネル２の表示部に表示される情報に応じた指示信号がパネル制御部１２から入力されるようになっている。その後、各ソースドライバ１５−１〜１５−８は、対応するソース配線Ｓに対し、後述のデータ信号を出力する。
【００６５】
また、液晶パネル２では、当該液晶パネル２の左端部側及び右端部側において、複数、例えば４つのゲートドライバ１６ａ−１〜１６ａ−４（以下、“１６ａ”にて総称する。）及び４つのゲートドライバ１６ｂ−１〜１６ｂ−４（以下、“１６ｂ”にて総称する。）が、それぞれ設けられている。これらのゲートドライバ１６ａ−１〜１６ａ−４及びゲートドライバ１６ｂ−１〜１６ｂ−４は、各々フレキシブル回路基板（ＳＯＦ）２２にそれぞれ実装されている。各フレキシブル回路基板２２の一端部側は、有効表示領域Ａの外側で、アクティブマトリクス基板２ｂ上のゲート配線Ｇに接続されている。また、各ゲート配線Ｇの左端部及び右端部がそれぞれ左端部側及び右端部側のゲートドライバ１６ａ及び１６ｂに接続されており、各ゲートドライバ１６ａ−１〜１６ａ−４と各ゲートドライバ１６ｂ−１〜１６ｂ−４には、同じ数のゲート配線Ｇ、つまり（Ｎ／４）本のゲート配線Ｇが接続されている。
【００６６】
さらに、各ゲートドライバ１６ａ−１〜１６ａ−４と各ゲートドライバ１６ｂ−１〜１６ｂ−４は、対応するフレキシブル回路基板２２とアクティブマトリクス基板２ｂ上に設けられた配線（図示せず）を介して、パネル制御部１２に接続されている。そして、各ゲートドライバ１６ａ−１〜１６ａ−４と各ゲートドライバ１６ｂ−１〜１６ｂ−４は、パネル制御部１２からの指示信号を入力して、対応するゲート配線Ｇに対し、後述の走査信号を出力する。
【００６７】
図３に戻って、上記ソース配線Ｓと、ゲート配線Ｇとの交差部の近傍には、スイッチング素子としての薄膜トランジスタ１７と、薄膜トランジスタ１７に接続された画素電極１８を有する上記画素Ｐが設けられている。また、各画素Ｐでは、共通電極１９が液晶パネル２に設けられた上記液晶層を間に挟んだ状態で画素電極１８に対向するよう構成されている。つまり、アクティブマトリクス基板２ｂでは、薄膜トランジスタ１７、画素電極１８、及び共通電極１９が画素単位に設けられている。
【００６８】
また、アクティブマトリクス基板２ｂでは、ソース配線Ｓと、ゲート配線Ｇとによってマトリクス状に区画された各領域に、複数の各画素Ｐの領域が形成されている。これら複数の画素Ｐには、赤色（Ｒ）、緑色（Ｇ）、及び青色（Ｂ）の画素が含まれている。また、これらのＲＧＢの画素は、例えばこの順番で、各ゲート配線Ｇ１〜ＧＮに平行に順次配設されている。さらに、これらのＲＧＢの画素は、上記カラーフィルタ基板２ａ側に設けられたカラーフィルタ層（図示せず）により、対応する色の表示を行えるようになっている。
【００６９】
また、上記アクティブマトリクス基板２ｂでは、第１及び第２のゲートドライバ１６ａ、１６ｂは、画像処理部１３からの指示信号に基づいて、ゲート配線Ｇ１〜ＧＮに対して、対応する薄膜トランジスタ１７のゲート電極をオン状態にする走査信号（ゲート信号）を順次出力する。また、ソースドライバ１５は、画像処理部１３からの指示信号に基づいて、表示画像の輝度（階調）に応じたデータ信号（電圧信号（階調電圧））を対応するソース配線Ｓ１〜ＳＭに出力する。
【００７０】
続いて、図２、及び図５〜図７を用いて、本実施形態のバックライト装置３について具体的に説明する。
【００７１】
図５は、図２に示したバックライト装置の要部構成を説明する図である。図６は、図５に示した導光板に設けられた反射部を説明する図であり、図６（ａ）は、導光板の対向面側から見た反射部の拡大平面図であり、図６（ｂ）は、反射部の拡大断面図である。図７は、上記バックライト装置での具体的な輝度分布を説明するグラフである。
【００７２】
図２及び図５に示すように、本実施形態のバックライト装置３には、（点状）光源としての発光ダイオード５と、発光ダイオード５が実装された光源基板としてのＬＥＤ基板６と、発光ダイオード５からの光が入光されるとともに、液晶パネル（被照射物）２側に向かって光が順次透過するように、積層された第１及び第２の導光板７ａ及び７ｂとが設けられている。発光ダイオード５には、例えば白色光を発光する白色（Ｗ）の発光ダイオードが用いられている。また、本実施形態のバックライト装置３では、図２に示すように、２つのＬＥＤ基板６が用いられており、これら２つのＬＥＤ基板６は第１及び第２の導光板７ａ及び７ｂに対向するように設置されている。また、各ＬＥＤ基板６には、図２の紙面に垂直な方向に、直線上に並べられた複数の発光ダイオード５が互いに所定の間隔をおいて実装されている。
【００７３】
また、本実施形態のバックライト装置３では、図２に示すように、液晶パネル２側が開口した有底状の筐体９が設けられており、バックライト装置３は、筐体９によって収容されるようになっている。
【００７４】
筐体９には、例えば亜鉛メッキ鋼板やアルミニウムなどの金属材料が用いられており、筐体９には、平板状の底面９ａと、この底面９ａの四辺にそれぞれ立設された４つの側面９ｂとが設けられている。そして、この筐体９では、フレーム４の側面部４ｃが側面９ｂを囲むように、フレーム４が組み付けられて、液晶表示装置１の上記外容器が構成されている。
【００７５】
また、筐体９の内部には、図２に示すように、第１及び第２の導光板７ａ及び７ｂを支持する支持部としての支持部材１０が設けられている。この支持部材１０は、液晶パネル２の上記表示面と直交するように設けられた基部１０ａと、基部１０ａに対し上記表示面と平行となるように設けられるとともに、第１の導光板７ａを実質的に支持する第１の支持板部１０ｂと、基部１０ａに対し上記表示面と平行となるように設けられるとともに、第２の導光板７ｂを実質的に支持する第２の支持板部１０ｃを備えている。
【００７６】
また、支持部材１０では、図２に示すように、２つの各ＬＥＤ基板６が基部１０ａの内側表面に取り付けられており、支持部材１０は各ＬＥＤ基板６に設けられた発光ダイオード５からの熱を放熱する放熱部材としても機能するようになっている。すなわち、支持部材１０には、例えば亜鉛メッキ鋼板やアルミニウムなどの金属材料が用いられており、発光ダイオード５で発生した熱がＬＥＤ基板６を介して支持部材１０に伝えられるようになっている。また、支持部材１０は、伝えられた熱を筐体９に伝達して、筐体９から外部に放熱するように構成されている。
【００７７】
さらに、支持部材１０では、基部１０ａの上端部に対して、Ｐ（プラスチック）シャーシＰＳが取り付けられており、このＰシャーシＰＳは、液晶パネル２と当接して、当該液晶パネル２を支持するようになっている。
【００７８】
第１及び第２の各導光板７ａ、７ｂには、例えば厚さ１．５ｍｍ〜４．０ｍｍ程度で、透明なアクリル樹脂などの合成樹脂または透明なガラス材が用いられており、第１及び第２の各導光板７ａ、７ｂは、入光された発光ダイオード５からの光を所定の伝播方向（図２の左右方向）に導きつつ、液晶パネル２側に光を発光するようになっている。
【００７９】
具体的にいえば、第１の導光板７ａには、図５に示すように、複数の発光ダイオード５に対向して、これらの発光ダイオード５からの光が入光される入光面７ａ１と、この入光面７ａ１から入光した光を液晶パネル２側に発光する発光面７ａ２が設けられている。また、第１の導光板７ａは、発光面７ａ２に対向する対向面７ａ３と、入光面７ａ１に対向するとともに、当該第１の導光板７ａの内部側に光を反射する反射シートＲＳが取り付けられた反射面７ａ４を備えている。
【００８０】
また、第１の導光板７ａには、対向面７ａ３側に、入光面７ａ１から入光した光を発光面７ａ２側に反射する反射部７ａ５が設けられている。この反射部７ａ５には、後に詳述するように所定の反射パターンを用いられており、第１の導光板７ａでは、入光面７ａ１に対向するように並べられた複数の発光ダイオード５からの光を混合し、かつ、発光面７ａ２から光を発光させないミキシング領域ＭＡ１が形成されるように、反射部７ａ５が対向面７ａ３側に設けられている。つまり、第１の導光板７ａでは、図５に示すように、反射部７ａ５はミキシング領域ＭＡ１の範囲内には形成されておらず、当該ミキシング領域ＭＡ１の外側から後述の有効発光領域（アクティブ領域）ＡＡの図５の左端部までの範囲に形成されている。また、これにより、第１の導光板７ａでは、その発光面７ａ２から発光される光の輝度分布が規定される（詳細は後述。）。
【００８１】
同様に、第２の導光板７ｂには、図５に示すように、複数の発光ダイオード５に対向して、これらの発光ダイオード５からの光が入光される入光面７ｂ１と、この入光面７ｂ１から入光した光を第１の導光板７ａ（液晶パネル２）側に発光する発光面７ｂ２が設けられている。また、第２の導光板７ｂは、発光面７ｂ２に対向する対向面７ｂ３と、入光面７ｂ１に対向するとともに、当該第２の導光板７ｂの内部側に光を反射する反射シートＲＳが取り付けられた反射面７ｂ４を備えている。
【００８２】
また、第２の導光板７ｂには、対向面７ｂ３側に、入光面７ｂ１から入光した光を発光面７ｂ２側に反射する反射部７ｂ５が設けられている。この反射部７ｂ５には、後に詳述するように所定の反射パターンを用いられており、第２の導光板７ｂでは、入光面７ｂ１に対向するように並べられた複数の発光ダイオード５からの光を混合し、かつ、発光面７ｂ２から光を発光させないミキシング領域ＭＡ２が形成されるように、反射部７ｂ５が対向面７ｂ３側に設けられている。つまり、第２の導光板７ｂでは、図５に示すように、反射部７ｂ５はミキシング領域ＭＡ２の範囲内には形成されておらず、当該ミキシング領域ＭＡ２の外側から上記有効発光領域（アクティブ領域）の右端部までの範囲に形成されている。また、これにより、第２の導光板７ｂでは、その発光面７ｂ２から発光される光の輝度分布が規定される（詳細は後述。）。
【００８３】
また、第１及び第２の各導光板７ａ、７ｂでは、その発光面７ａ２、７ｂ２から発光される光の輝度分布が互いに異なる輝度分布となるように、構成されるとともに、第１及び第２の導光板７ａ及び７ｂでは、液晶パネル２側に照射される光の輝度分布が所定の輝度分布となるように、構成されている（詳細は後述。）。
【００８４】
また、第１及び第２の導光板７ａ及び７ｂでは、空気層Ｋを介在させて積層されている。すなわち、第１の導光板７ａは、上述したように、支持部材１０の第１の支持板部１０ｂに載置された状態で支持されており、第２の導光板７ｂとの間に所定の空気層Ｋが形成されている。
【００８５】
さらに、第１の導光板７ａの液晶パネル２（発光面７ａ２）側には、レンズシートや拡散シートなどの光学シート１１が設けられており、第１及び第２の導光板７ａ及び７ｂから液晶パネル２への上記照明光の輝度上昇などが行われて、当該液晶パネル２に与えられるようになっている。
【００８６】
ここで、図６（ａ）及び図６（ｂ）を用いて、反射部７ａ５、７ｂ５について具体的に説明する。
【００８７】
図６（ａ）及び図６（ｂ）に例示するように、反射部７ａ５には、例えばスクリーン印刷によって形成された反射パターンが用いられている。つまり、第１の導光板７ａでは、スクリーン印刷によって透明な合成樹脂などの反射材料が塗着されることにより、対向面７ａ３を覆う被覆面７ａ５２と、被覆面７ａ５２から突出するとともに、所定の形状、例えば円柱状に構成された複数の反射部分７ａ５１を有する反射部７ａ５が設けられている。また、複数の反射部分７ａ５１は、被覆面７ａ５２上で所定のパターンで配列されており、各反射部分７ａ５１は、第１の導光板７ａの内部から対向面７ａ３側に進んできた光を発光面７ａ２側に適宜反射するようになっている。また、反射部７ｂ５も、反射部７ａ５と同様に構成されている。
【００８８】
続いて、図５及び図７を用いて、第１及び第２の導光板７ａ及び７ｂでの輝度分布について具体的に説明する。尚、図７の横軸の左右方向は、図５の左右方向に一致している。
【００８９】
第１の導光板７ａでは、その発光面７ａ２から液晶パネル２の全面に対して発光される光の輝度分布は図７の実線の曲線７１に示すものとなるように構成されている。すなわち、第１の導光板７ａでは、発光ダイオード５側（図７の右端部側）には反射部７ａ５が設けられておらず、ミキシング領域ＭＡ１が設定されている。それゆえ、第１の導光板７ａでは、ミキシング領域ＭＡ１内の発光面７ａ２からは光が発光されず、その輝度の値は実質的に零である。
【００９０】
また、第１の導光板７ａでは、ミキシング領域ＭＡ１から左側の領域において、反射部７ａ５が設けられているので、入光面７ａ１に対向した複数の発光ダイオード５からの光は当該反射部７ａ５によって発光面７ａ２側に適宜反射される。それゆえ、第１の導光板７ａでは、ミキシング領域ＭＡ１から左側の領域に向かう方向において、発光面７ａ２から発光される光の輝度の値が徐々に大きくなり、第１の導光板７ａの左右方向での中心部（図７に“Ｃ０”にて図示）から所定の距離だけ左側の位置で最大の値となる。そして、第１の導光板７ａでは、その最大の輝度の値が左端部まで維持されるように、発光面７ａ２からの光は発光する。
【００９１】
また、第２の導光板７ｂでは、その発光面７ｂ２から液晶パネル２の全面に対して発光される光の輝度分布は図７の一点鎖線の曲線７２に示すものとなるように構成されている。すなわち、第２の導光板７ｂでは、発光ダイオード５側（図７の左端部側）には反射部７ｂ５が設けられておらず、ミキシング領域ＭＡ２が設定されている。それゆえ、第２の導光板７ｂでは、ミキシング領域ＭＡ２内の発光面７ｂ２からは光が発光されず、その輝度の値は実質的に零である。
【００９２】
また、第２の導光板７ｂでは、ミキシング領域ＭＡ２から右側の領域において、反射部７ｂ５が設けられているので、入光面７ｂ１に対向した複数の
発光ダイオード５からの光は当該反射部７ｂ５によって発光面７ｂ２側に適宜反射される。それゆえ、第２の導光板７ｂでは、ミキシング領域ＭＡ２から右側の領域に向かう方向において、発光面７ｂ２から発光される光の輝度の値が徐々に大きくなり、第２の導光板７ｂの左右方向での中心部（図７に“Ｃ０”にて図示）から所定の距離だけ右側の位置で最大の値となる。そして、第２の導光板７ｂでは、その最大の輝度の値が左端部まで維持されるように、発光面７ｂ２からの光は発光する。
【００９３】
また、液晶パネル２の全面に実際に照射される上記照明光の輝度分布は、図７に点線の曲線７３に示すものとなるように構成されている。つまり、この輝度分布は、第１及び第２の導光板７ａ及び７ｂでの輝度分布を重畳したものであり、第１及び第２の導光板７ａ及び７ｂの有効発光領域（アクティブ領域）ＡＡ（図５）での輝度分布である。また、この照明光の輝度分布では、その中心輝度に対し、その周辺の輝度が所定の範囲内の数値となるように設定されている。具体的にいえば、図７の曲線７３において、中央部Ｃ０の輝度の値に対し、左端部及び右端部の輝度の値は、例えば６５％〜７５％の範囲内の数値となるように設定されている。より詳細には、第１及び第２の導光板７ａ及び７ｂにおいて、その反射部７ａ５、７ｂ５での反射パターンを調整することにより、上記照明光の輝度分布が設定されている。
【００９４】
また、各ミキシング領域ＭＡ１、ＭＡ２の大きさは、対応する入光面７ａ１、７ｂ１に対向する発光ダイオード５の設置数やピッチ寸法（離間寸法）あるいは発光ダイオード５の光の出射角等に応じて、定められており、対応する入光面７ａ１、７ｂ１に対向する複数の発光ダイオード５からの光を確実に混合して、対応する発光面７ａ２、７ｂ２に輝度ムラが生じないように、規定されている。すなわち、各ミキシング領域ＭＡ１、ＭＡ２の大きさは、図１４（ａ）及び図１４（ｂ）に斜線部にて示した領域をカバーするように、設定されている。
【００９５】
以上のように構成された本実施形態のバックライト装置３では、第１及び第２の導光板７ａ及び７ｂが液晶パネル（被照射物）２側に向かって光が順次透過するように、積層されている。また、第１及び第２の各導光板７ａ、７ｂでは、その発光面７ａ１、７ｂ１から発光される光の輝度分布が互いに異なる輝度分布（図７の曲線７１、７２）となるように構成されている。また、第１及び第２の導光板７ａ及び７ｂでは、液晶パネル２側に照射される光の輝度分布が所定の輝度分布（図７の曲線７３）となるように、構成されている。これにより、本実施形態では、上記従来例と異なり、発光ダイオード（光源）５の設置数を低減した場合でも、発光品位の低下を防ぎつつ、狭額縁化を図ることができるバックライト装置３を構成することができる。
【００９６】
また、本実施形態では、反射部７ａ５、７ｂ５として、印刷によって形成された反射パターンが用いられている。これにより、本実施形態では、印刷によって形成された反射パターンが上記対応する複数の発光ダイオード５からの光を対応する発光面７ａ２、７ｂ２側に反射する。
【００９７】
また、本実施形態では、第１及び第２の導光板７ａ及び７ｂは空気層Ｋを介在させて積層されている。これにより、本実施形態では、第１及び第２の各導光板７ａ、７ｂの内部を導光する光が不適切に他の導光板７ａ、７ｂの内部に進行するのを防ぐことができ、第１及び第２の各導光板７ａ、７ｂにおいて、互いに異なる輝度分布をより容易に構成することができる。
【００９８】
また、本実施形態では、上記照明光の所定の輝度分布では、その中心輝度に対し、その周辺の輝度が所定の範囲内の数値となるように設定されている。これにより、本実施形態では、優れた発光性能を有するバックライト装置を容易に構成することができる。
【００９９】
また、本実施形態では、発光ダイオード５の設置数を低減した場合でも、発光品位の低下を防ぎつつ、狭額縁化を図ることができるバックライト装置３が用いられているので、コンパクトで表示品位に優れた液晶表示装置（表示装置）１を容易に構成することができる。
【０１００】
また、本実施形態では、コンパクトで表示品位に優れた液晶表示装置１が用いられているので、高性能な表示性能を有するコンパクトなテレビ受信装置を容易に構成することができる。
【０１０１】
［第２の実施形態］
図８は、本発明の第２の実施形態にかかるバックライト装置の要部構成を説明する図である。
【０１０２】
図において、本実施形態と上記第１の実施形態との主な相違点は、隣接する２つの導光板において、一方の導光板の発光面と、他方の導光板の反射部とが密接するように、これら２つの導光板を積層した点である。なお、上記第１の実施形態と共通する要素については、同じ符号を付して、その重複した説明を省略する。
【０１０３】
つまり、図８に示すように、本実施形態のバックライト装置３では、第１の導光板７ａが第２の導光板７ｂ上に直接的に載置されている。具体的にいえば、本実施形態のバックライト装置３では、支持部材１０’は、液晶パネル２の上記表示面と直交するように設けられた基部１０ａ’と、基部１０ａ’に対し上記表示面と平行となるように設けられた第２の支持板部１０ｃ’を備えている。そして、本実施形態のバックライト装置３では、第２の導光板７ｂが第２の支持板部１０ｃ’上に載置されて支持されている。さらに、第１の導光板７ａは、当該第１の導光板７ａの反射部７ａ５と第２の導光板７ｂの発光面７ｂ２とが密接するように、第２の導光板７ｂに対して積層されている。
【０１０４】
また、第１の導光板７ａでの反射部７ａ５は、図６（ｂ）に示したように、複数の円柱状の反射部分７ａ５１を備えていることから、第２の導光板７ｂの発光面７ｂ２との間に微細な空気層（図示せず）が形成されている。すなわち、第１及び第２の導光板７ａ及び７ｂは、第１の実施形態のものと同様に、空気層を介在させて積層されている。これにより、本実施形態では、第１の実施形態のものと同様に、第１及び第２の各導光板７ａ、７ｂの内部を導光する光が不適切に他の導光板７ａ、７ｂの内部に進行するのを防ぐことができ、第１及び第２の各導光板７ａ、７ｂにおいて、互いに異なる輝度分布をより容易に構成することができる。
【０１０５】
以上の構成により、本実施形態では、上記第１の実施形態と同様な作用・効果を奏することができる。また、本実施形態では、第１及び第２の導光板７ａ及び７ｂでは、第２の導光板７ｂの発光面７ｂ２と、第１の導光板７ａの反射部７ａ５とが密接するように、積層されている。これにより、本実施形態では、バックライト装置３の薄型化を容易に図ることができるとともに、バックライト装置３の構造の簡略化を容易に図ることができる。
【０１０６】
［第３の実施形態］
図９は、本発明の第３の実施形態にかかるバックライト装置の要部構成を説明する図である。図１０は、図９に示した導光板に設けられた反射部を説明する図であり、図１０（ａ）は、導光板の対向面側から見た反射部の拡大平面図であり、図１０（ｂ）は、反射部の拡大断面図である。図１１は、図９に示した支持部材に設けられた位置決め部材を説明する図であり、図１１（ａ）及び図１１（ｂ）はそれぞれ図９に示した第１の導光板側の位置決め部材を示す平面図及び側面図であり、図１１（ｃ）及び図１１（ｄ）はそれぞれ図９に示した第２の導光板側の位置決め部材を示す平面図及び側面図である。
【０１０７】
図において、本実施形態と上記第１の実施形態との主な相違点は、複数の導光板をそれぞれ支持する複数の支持部を備えるとともに、複数の各支持部において、支持する導光板を係止して、当該導光板の位置決めを行う位置決め部材を設けた点である。なお、上記第１の実施形態と共通する要素については、同じ符号を付して、その重複した説明を省略する。
【０１０８】
すなわち、図９に示すように、本実施形態のバックライト装置３では、第１及び第２の導光板７ａ及び７ｂを支持する支持部としての支持部材３０が設けられている。この支持部材３０は、第１の実施形態のものと同様に、液晶パネル２の上記表示面と直交するように設けられた基部３０ａと、基部３０ａに対し上記表示面と平行となるように設けられるとともに、第１の導光板７ａを実質的に支持する第１の支持板部３０ｂと、基部３０ａに対し上記表示面と平行となるように設けられるとともに、第２の導光板７ｂを実質的に支持する第２の支持板部３０ｃを備えている。さらに、支持部材３０には、後に詳述するように、第１及び第２の導光板７ａ及び７ｂをそれぞれ係止して、当該第１及び第２の導光板７ａ及び７ｂの位置決めをそれぞれ行う位置決め部材３０ｄ及び３０ｅが設けられている。
【０１０９】
また、支持部材３０では、図９に示すように、２つの各ＬＥＤ基板６が基部３０ａの内側表面に取り付けられており、支持部材３０は各ＬＥＤ基板６に設けられた発光ダイオード５からの熱を放熱する放熱部材としても機能するようになっている。すなわち、支持部材３０には、例えば亜鉛メッキ鋼板やアルミニウムなどの金属材料が用いられており、発光ダイオード５で発生した熱がＬＥＤ基板６を介して支持部材３０に伝えられるようになっている。また、支持部材３０は、伝えられた熱を筐体９（図２）に伝達して、筐体９から外部に放熱するように構成されている。
【０１１０】
また、本実施形態では、図１０（ａ）及び図１０（ｂ）に例示するように、反射部７ａ５には、例えばシボ加工によって形成された反射パターンが用いられている。つまり、第１の導光板７ａでは、例えばレーザ加工を用いて、対向面７ａ３にシボ加工を施して、所定の形状、例えば円柱状に構成された複数の凹部７ａ５３を有する反射部７ａ５が設けられている。また、複数の凹部７ａ５３は、対向面７ａ３上で所定のパターンで配列されており、各凹部７ａ５３は、第１の導光板７ａの内部から対向面７ａ３側に進んできた光を発光面７ａ２側に適宜反射するようになっている。また、反射部７ｂ５も、反射部７ａ５と同様に構成されている。
【０１１１】
また、図１１（ａ）及び図１１（ｂ）に示すように、第１の支持板部３０ｂには、例えば３つの位置決め部材３０ｄが設けられている。これらの位置決め部材３０ｄは、第１の支持板部３０ｂから上側（液晶パネル２側）に突出するように設けられたものであり、各位置決め部材３０ｄは、第１の導光板７ａの入光面７ａ１に当接するようになっている。
【０１１２】
同様に、図１１（ｃ）及び図１１（ｄ）に示すように、第２の支持板部３０ｃには、例えば３つの位置決め部材３０ｅが設けられている。これらの位置決め部材３０ｅは、第２の支持板部３０ｃから上側（液晶パネル２側）に突出するように設けられたものであり、各位置決め部材３０ｅは、反射シート８に設けられた開口部を挿通して第２の導光板７ｂの入光面７ｂ１に当接するようになっている。
【０１１３】
以上の構成により、本実施形態では、上記第１の実施形態と同様な作用・効果を奏することができる。また、本実施形態では、支持部材３０には、第１及び第２の導光板７ａ及び７ｂをそれぞれ係止して、当該第１及び第２の導光板７ａ及び７ｂの位置決めをそれぞれ行う位置決め部材３０ｄ及び３０ｅが設けられている。これにより、本実施形態では、発光ダイオード５と各入光面７ａ１、７ｂ１とを所定の距離で対向して配置することができ、各入光面７ａ１、７ｂ１への入光量の低下を防いで、第１及び第２の各導光板７ａ、７ｂでの輝度低下の発生を防止することができる。
【０１１４】
さらに、本実施形態では、第１及び第２の各導光板７ａ、７ｂが変形（膨張）したときでも、発光ダイオード５とは反対側に変形されることができる。この結果、本実施形態では、第１及び第２の各導光板７ａ、７ｂが発光ダイオード５と接触するのを防止することができ、第１及び第２の各導光板７ａ、７ｂ及び発光ダイオード５に損傷が生じるのを防ぐことができる。
【０１１５】
また、本実施形態では、反射部７ａ５、７ｂ５として、シボ加工によって形成された反射パターンが用いられている。これにより、本実施形態では、シボ加工によって形成された反射パターンが上記対応する複数の発光ダイオード５からの光を発光面７ａ２、７ｂ２側に反射する。
【０１１６】
尚、上記の実施形態はすべて例示であって制限的なものではない。本発明の技術的範囲は特許請求の範囲によって規定され、そこに記載された構成と均等の範囲内のすべての変更も本発明の技術的範囲に含まれる。
【０１１７】
例えば、上記の説明では、本発明を透過型の液晶表示装置に適用した場合について説明したが、本発明のバックライト装置はこれに限定されるものではなく、半透過型の液晶表示装置、あるいは液晶パネルをライトバルブに用いた投写型表示装置などの各種表示装置に適用することができる。
【０１１８】
また、上記の説明以外に、本発明は、レントゲン写真に光を照射するシャウカステンあるいは写真ネガ等に光を照射して視認をし易くするためのライトボックスや、看板や駅構内の壁面などに設置される広告等をライトアップする発光装置のバックライト装置として好適に用いることができる。
【０１１９】
また、上記の説明では、上下方向に積層された２つの導光板を用いた場合について説明したが、本発明は被照射物側に向かって光が順次透過するように、積層された複数の導光板を用いるとともに、複数の各導光板では、その発光面から発光される光の輝度分布が互いに異なる輝度分布となるように、構成され、かつ、複数の導光板では、被照射物側に照射される光の輝度分布が所定の輝度分布となるように、構成されているものであれば何等限定されない。
【０１２０】
また、上記の説明では、複数の各導光板において、その発光面に対向する対向面側に複数の光源からの光を発光面側に反射する反射部を設けるとともに、この反射部によって上記ミキシング領域を形成する構成について説明した。しかしながら、本発明はこれに限定されるものではなく、例えば反射部に加えて、発光面側に遮光部材を設置して、ミキシング領域を形成してもよい。
【０１２１】
但し、上記の各実施形態のように、反射部を設けるとともに、この反射部によって上記ミキシング領域を形成する場合の方が、光源の設置数を低減した場合でも、複数の各導光板において、互いに異なる輝度分布を容易に構成することができる点で好ましい。
【０１２２】
また、上記の説明では、光源として白色の発光ダイオードを用いた場合について説明したが、本発明の光源はこれに限定されるものではなく、例えば冷陰極蛍光管や熱陰極蛍光管等の放電管等の線状光源、電球などのランプ等の発光ダイオード以外の点状光源、あるいは有機ＥＬ（Electronic Luminescence）や無機ＥＬ素子等の発光素子を光源に使用することもできる。
【０１２３】
但し、上記の各実施形態のように、光源に発光ダイオードを使用する場合の方が、消費電力が少なく、優れた環境性をもつバックライト装置を容易に構成することができる点で好ましい。
【０１２４】
また、本発明の発光ダイオードは上記白色の発光ダイオードに限定されるものではなく、例えばＲＧＢの発光ダイオードを一体化した、いわゆる３ｉｎ１タイプの発光ダイオードや、ＲＧＢＷや、ＧＲＧＢなど４つの発光ダイオードを一体化した、いわゆるフォーインワン（４ｉｎ１）タイプの発光ダイオードや、Ｒ、Ｇ、Ｂそれぞれ単色個別の発光ダイオードを用いることもできる。
【０１２５】
また、上記の説明以外に、上記第１〜第３の各実施形態を適宜組み合わせたものでよい。
【産業上の利用可能性】
【０１２６】
本発明は、光源の設置数を低減した場合でも、発光品位の低下を防ぎつつ、狭額縁化を図ることができるバックライト装置、及びこれを用いた表示装置、並びにテレビ受信装置に対して有用である。
【符号の説明】
【０１２７】
１  液晶表示装置（表示装置）
２  液晶パネル（被照射物、表示部）
３  バックライト装置
５  発光ダイオード（光源）
７ａ  第１の導光板
７ａ１  入光面
７ａ２  発光面
７ａ３  対向面
７ａ５  反射部（反射パターン）
７ｂ  第２の導光板
７ｂ１  入光面
７ｂ２  発光面
７ｂ３  対向面
７ｂ５  反射部（反射パターン）
１０、１０’、３０  支持部材（支持部）
３０ｄ、３０ｅ  位置決め部材
Ｔｖ  テレビ受信装置
Ｐ  画素
ＭＡ１、ＭＡ２  ミキシング領域
Ｋ  空気層
【図１】
2013165009.tif 000003
【図２】
2013165009.tif 000004
【図３】
2013165009.tif 000005
【図４】
2013165009.tif 000006
【図５】
2013165009.tif 000007
【図６】
2013165009.tif 000008
【図７】
2013165009.tif 000009
【図８】
2013165009.tif 000010
【図９】
2013165009.tif 000011
【図１０】
2013165009.tif 000012
【図１１】
2013165009.tif 000013
【図１２】
2013165009.tif 000014
【図１３】
2013165009.tif 000015
【図１４】
2013165009.tif 000016